(57)【特許請求の範囲】
【請求項１】
吸引空気チャネル（６）を有する吸入器（１）用の篩部分（９）であって、
該篩部分は、前記吸引空気チャネル（６）の一部を構成するアダプタ部（１１）に保持される保持縁部（１０）と、該保持縁部（１０）内で横断面内で延びる篩領域とを備え、
該篩領域は、金属ワイヤで作られており、
さらに、保持縁部が、前記篩部分の最外縁部分によって形成された傾斜曲がり部を有する、
ことを特徴とする篩部分。
【請求項２】
前記篩部分（９）が円形形状であり、
前記篩領域が、前記篩部分（９）に対し凸状に突出する突出領域（１２）を備えている、
請求項１に記載の篩部分（９）。
【請求項３】
前記篩部（９）は、金属ワイヤで作られている、
請求項１又は２に記載の篩部分（９）。
【請求項４】
前記篩領域又は篩部（９）は、ワイヤメッシュから成る、
請求項１ないし３のいずれか１項に記載の篩部分（９）。
【請求項５】
前記篩領域は、少なくとも０．４ｍｍ、好ましくは０．６ｍｍより大きなメッシュサイズを有する、
請求項４に記載の篩部分（９）。
【請求項６】
前記篩領域は、１ｍｍ以下のメッシュサイズを有する、
請求項４又は５に記載の篩部分（９）。
【請求項７】
前記ワイヤの直径は、０．１〜０．５ｍｍである、
請求項３ないし６のいずれか１項に記載の篩部分（９）。
【請求項８】
前記篩部分（９）は、曲げ加工又は深絞り成形によって、平べったいワイヤメッシュ部分から形成され、少なくとも部分的に塑性組成変形部を有している、
請求項１ないし７のいずれか１項に記載の篩部分（９）。
【請求項９】
前記篩部分（９）は、ワイヤメッシュ部分から形成され、
前記保持縁部（１０）は、純粋に、ワイヤメッシュ部分自身から形成されている、
請求項１ないし８のいずれか１項に記載の篩部分（９）。
【請求項１０】
前記篩部分（９）は、ワイヤメッシュ部分から形成され、
前記保持縁部（１０）は、ワイヤメッシュ上に施された押し出し被膜を有する、
請求項１ないし８のいずれか１項に記載の篩部分（９）。
【請求項１１】
前記篩部分は、一方の側に突出した形状の突出領域（１２）を備え、
前記曲がり部は、前記突出領域（１２）の反対側にある、
請求項１ないし１０のいずれか１項に記載の篩部分（９）。
【請求項１２】
前記篩部分は、一方の側に突出した形状の突出領域（１２）を備え、
前記曲がり部は、前記突出領域（１２）の側にある、
請求項１ないし１１のいずれか１項に記載の篩部分（９）。
【請求項１３】
前記突出領域（１２）が、平坦部分（１３）を備え、
該平坦部分（１３）が、断面視で、前記篩領域の中央にある、
請求項２、１１および１２のいずれか１項に記載の篩部分（９）。
【請求項１４】
粉体用の吸入器であって、
マウスピース（４）に連通する吸引空気チャネル（６）と、受入れチャンバ（７）に可動状態で配置された物質供給容器（８）と、請求項１ないし１３にいずれか１項に記載された篩部分（９）とを有し、
前記篩部分（９）が、前記吸引空気チャネル（６）内の前記受入れチャンバ（７）と前記マウスピース（４）との間に配置されている吸入器。
【発明の詳細な説明】
【技術分野】
【０００１】
本発明は、第一に、粉末状の特に薬用の物質の吸入器であって、マウスピースに通じる吸引空気チャネルを有し、更に、好ましくは受け入れチャンバ内に可動的に配置された物質供給容器及び受け入れチャンバとマウスピースとの間で吸引空気チャネル内に設けられた篩部を有し、篩部が、保持縁部及び保持縁部内の断面領域中に納められた篩領域を有し、篩領域が、一方の側に突出するよう形作られた突出領域を有するような吸入器に関する。
【背景技術】
【０００２】
この種の吸入器が知られている。例えば国際公開第２００４／０６２７１６（Ａ１）号パンフレットを参照されたい。篩部は、マウスピースの方向で一方の側に受け入れチャンバを画定している。しかしながら、受け入れチャンバには極めて正確な寸法が要求され、このような極めて正確な寸法が物質供給容器の所望の移動性と関連しているということを考慮すると、篩部は、その正確な寸法の維持に関して厳格さが要求される。本出願人の社内先行技術に対応した篩部では、ドームの形をした凸部が突出領域として提供されている。凸部は、物質供給容器に向くよう設計されている。
【先行技術文献】
【特許文献】
【０００３】
【特許文献１】国際公開第２００４／０６２７１６（Ａ１）号パンフレット
【発明の概要】
【発明が解決しようとする課題】
【０００４】
しかしながら、製造上の観点から、必要な寸法公差を達成することは極めて困難であるということが判明した。
【０００５】
上述の先行技術から始まって、本発明は、篩部が有利な設計のものである吸入器を提供するという課題の解決に関連している。
【課題を解決するための手段】
【０００６】
この課題の考えられる一解決策が、請求項１の記載内容によって提供され、第１の本発明の態様によれば、この場合、重要な特徴は、突出領域が平べったい部分を有するということにある。驚くべきことに、寸法安定性を向上させることを目的として、確かに、篩部の篩領域内に突出領域を設けることが可能であることは確かであるが、この突出領域が平べったい部分を有している場合、寸法安定性を実質的に一段と向上させることができるということが判明した。突出領域は、連続的にドームの形をしているわけではない。これとは異なり、突出領域は、周りの篩領域から生じているが、平べったい部分を形成するよういわば断面図で見て角度をなして曲がっている。
【０００７】
上述の請求項の技術内容と好ましい関連性を有する場合の多い図面の説明中の特徴を含む本発明の別の特徴について以下に説明する。しかしながら、これら特徴は、請求項１の個々の特徴の１つだけ又は幾つかとも関連している場合があり又は別個独立に若しくは別の全体的な技術的思想において意義のある場合がある。
【０００８】
第一に、突出領域は、断面で見て、保持縁部を通る平面に直角に保持縁部の上に突き出ることが好ましい。
【０００９】
したがって、縁部は、傾斜した曲がり部を有するのが良い。曲がり部は、突出領域の方向に位置するのが良いが、逆方向に位置しても良い。曲がり部は、篩部の最も外側の縁部によって形成される。篩部は、全体として、曲げ加工又は深絞り成形により平べったいワイヤメッシュ部分から形成されるのが良く、少なくとも部分的に塑性組成変形部を有する。
【００１０】
また、平べったい部分は、断面で見て、篩領域の中央に位置することが好ましい。この中央配置は、特に、平面図で見て全体として円形の篩部に関する。しかしながら、斜めの平面図の場合、これは又、提供された中央を包囲した状態で配置されても良い。
【００１１】
したがって、平べったい部分は、断面表示に基づいて、保持縁部の互いに反対側の領域相互間の全体的自由間隔の一部に相当する寸法を有する。したがって、円形周囲部の場合、これは、このようにして形成された周囲部の一部に対応している。この部分領域は、好ましくは、保持縁部内にクランプされた篩のうちの５％以上に対応している。これは、特に、保持縁部の互いに反対側の領域を直接互いに連結する線の投影像に関連している長方形の平面図の場合、この測定値は、当初、保持縁部の互いに反対側領域相互間の最も小さな寸法に関連している。また、好ましくは、この寸法は、上述の断面線の全体的寸法の１５％未満である。上限及び下限により定められた領域に制限がある場合、この領域に関連した全ての中間値も又、特に１／１０％ずつの状態で開示内容に含まれる。上述の寸法は、５〜１５ｍｍという検討中の、露出されると共にクランプされた領域中の篩領域の全体的寸法に関連している。この場合も又、全ての関連中間値は又、特に１／１０ｍｍ刻みで開示内容に含まれる。
【００１２】
篩それ自体は、好ましくは、金属ワイヤ（金属線）で作られる。用いられる材料は、特に、好ましくはクロム及び／又はニッケルと合金化されたステンレス鋼材料であるのが良く、他方、より好ましくは、クロム含有量は、ニッケル含有量の２倍以上である。
【００１３】
篩は、適切には、特に上述のワイヤのメッシュから成る。篩は、０．４ミリメートル以上のメッシュサイズを有するのが良い。１．５ｍｍ以下のメッシュサイズがより好ましい。０．９〜１ｍｍのメッシュサイズが更により好ましい。０．４〜１．５ｍｍの指定された範囲は、全ての中間値、特に下限及び／又は上限から他方の限度まで１／１０ｍｍ刻みの全ての中間値を更に含む。ここでいう「及び」という用語は、両方の限度がいずれの場合においても、十分の一又は十分の二以上（十分の三等）だけそれぞれの他の限度に向かってずらされ、即ち、ピンポイントで合わされることを意味している。
【００１４】
ワイヤそれ自体の直径は、好ましくは、０．１〜０．５ｍｍであるのが良く、他方、特に１／１０ｍｍ刻みの任意の中間値も開示内容に含まれる。
【００１５】
本発明は、更に、吸入器、特に上述の実施形態のうちのいずれか一の吸入器のための篩部であって、篩部が、保持縁部及び断面で見て保持縁部内に延びる篩領域を有し、更に、篩領域は、一方の側に突出するよう形作られた突出領域を有するような篩部に関する。
【００１６】
篩部に関し、課題は、吸入器、特に粉末吸入器に用いられるようこれを好適に設計することにある。
【００１７】
この問題の考えられる一解決策は、請求項１１の内容に示されており、その特徴は、突出領域が平べったい部分を有することにある。このように達成できる利点に関し、特に、粉末吸入器と関連して、吸入器と全体として関連した上述の説明をも参照されたい。同じことは、篩部の従来の態様にも当てはまる。
以下において、添付の図面を参照して本発明を詳細に説明するが、図面は、実施形態を１つしか示していない。
【図面の簡単な説明】
【００１８】
【図１】吸引空気チャネル内に配置された篩を有する吸入器を示す図である。
【図２】図１の領域ＩＩの拡大図である。
【図３】図２と同様な図であるが、篩部のための異なる形態の保持縁部を示す図である。
【図４】篩部それ自体の断面図である。
【図５】上から見た図４の篩部の平面図である。
【図６】図４に類似した図であるが、異なる形状の保持縁部を示す図である。
【図７】上から見た図６の物体の平面図である。
【発明を実施するための形態】
【００１９】
図１を参照すると、基本的には上述の国際公開第２００４／０６２７１６（Ａ１）号パンフレットから知られている粉末吸入器が断面で示されている。これ以上の細部については、この特許文献を参照されたい。なお、この特許文献を参照により引用し、本願の特許請求の範囲に組み込まれたこの特許文献の特徴に関する情報を含むその記載内容を本明細書の一部とする。
【００２０】
吸入器１は、カバー部２、受け入れハウジング３、マウスピース４及び作動ボタン５を備えている。
【００２１】
マウスピース４の内側に隣接して、吸引空気チャネル６が設けられ、この吸引空気チャネルは、受け入れチャンバ７内に合体し、この受け入れチャンバ内には、物質供給容器８が設けられている。受け入れチャンバ７と吸引空気チャネル６との間には、篩部９が設けられており、この篩部は、保持縁部１０によってアダプタ部１１内に保持されている。自由篩領域Ｓが保持縁部１０内に配置されている。アダプタ部１１は又、吸入空気チャネル６の一部を構成している。特に図２及び図３から明らかなように、篩部９は、平べったい即ちフラットな部分１３を備えた突出領域１２を有している。
【００２２】
突出領域１２は、保持縁部１０を通って篩領域Ｓが合体する領域内に延びる平面Ｅの上方に突出量ｖだけ持ち上げられている。突出量ｖは、断面寸法Ｌ（真っ直ぐな断面線として見て）のサイズの１０〜２０％に相当している。より好ましくは、これは、１５％に相当している。１０〜２０％の指定された領域の開示内容は、底端部及び／又は頂端部のところで１／１０パーセント以上だけ上述した範囲が狭まっていることをも考慮して、特に１／１０％刻みで全ての中間値を更に含む。
【００２３】
篩部９は、全体がワイヤメッシュで形成されており、図１〜図３、図４及び図６の断面図は、各々、ワイヤと中央で交差している状態を示している。
【００２４】
また、篩部９は、形態が円形である。
【００２５】
また、特に図２及び図３から明らかなように、保持縁部１０の傾斜曲がり部は、一方において、クランプ領域１２とは逆に且つ他方において突出領域１２によって提供される篩部９の凸方向に形作られるのが良い。保持縁部１０は、ワイヤメッシュに施された押し出し被膜を有するのが良いが、純粋にワイヤメッシュそれ自体で形成されても良い。
【００２６】
吸入器の正確な作動を行うためには、距離ａ（図３を比較参照）は、例えば、開始位置に位置する非取り外し状態の物質供給容器８の上端部とこの段階では最も近くに位置する領域、即ち、篩部９の平べったい部分１３との間に極めて正確に定められ、このような距離は又、特に篩部９の製造公差に鑑みて極めて正確に維持できることが必要不可欠である。これは、平べったい部分１３によって保証される。その目的は、寸法公差が篩部９内におけるワイヤの厚さの半分以下に相当するということにある。
【００２７】
さらに、物質供給容器８と篩部９が接触した場合、結果的に生じる設計の安定性の増大により、寸法安定性に対するマイナスの影響が軽減するようになる。
【００２８】
図４及び図６で詳細に示されているように、平べったい部分１３に半径方向外方に隣接して実質的に真っ直ぐな移行領域１４が設けられ、この移行領域は、篩部９の基本的な円の形に対応するよう円周方向に設けられ、それ故、形状が円錐形である。
【００２９】
メッシュサイズＭは、図５又は図７を参照して説明されるように、０．８ｍｍであり、篩メッシュに用いられるワイヤの厚さｄは、０．２５ｍｍである。
【００３０】
開示した全ての特徴は、それ自体本発明にとって必要不可欠である。本願の開示内容は、参照により関連の／添付した優先権書類（原出願の写し）を引用し、これらの開示内容全体を、これら優先権書類に記載された特徴を本願の特許請求の範囲に取り込む目的で、更に含む。
【図１】
0005668024.tif 000002
【図２】
0005668024.tif 000003
【図３】
0005668024.tif 000004
【図４】
0005668024.tif 000005
【図５】
0005668024.tif 000006
【図６】
0005668024.tif 000007
【図７】
0005668024.tif 000008